(57)【要約】【課題】  通信サービス会社との間で特別な契約をせずとも、固定電話機における着信時に、発呼してきた相手先を知ることができるようにする。【解決手段】  固定電話機は、電話機能とE-mail送受信機能を併せ持ち、相手先の名前とその電話番号とメールアドレスとが対応付けてあらかじめ登録されているアドレス登録部と、E-mail受信時に受信信号に含まれる相手先のメールアドレスを抽出する制御部と、前記アドレス登録部に対し抽出された相手先のメールアドレスが登録されているか検索を行うアドレス比較部と、表示部を含む。前記制御部は、前記アドレス比較部において前記抽出された相手先のメールアドレスが前記アドレス登録部に登録されていると判断した場合、前記アドレス登録部から前記抽出された相手先のメールアドレスに対応する相手先の名前を読み出して前記表示部に表示させる。【選択図】      図２
2010239218.tif 000002
【特許請求の範囲】
【請求項１】
電話機能とE-mail送受信機能を併せ持つ固定電話機であって、
相手先の名前と、その電話番号と、メールアドレスとが対応付けてあらかじめ登録されているアドレス登録部と、
E-mail受信時に、受信信号に含まれる相手先のメールアドレスを抽出する制御部と、
前記アドレス登録部に対し抽出された相手先のメールアドレスが登録されているか検索を行うアドレス比較部と、
表示部と、を含み、
前記制御部は、前記アドレス比較部において前記抽出された相手先のメールアドレスが前記アドレス登録部に登録されていると判断した場合、前記アドレス登録部から前記抽出された相手先のメールアドレスに対応する相手先の名前を読み出して前記表示部に表示させることを特徴とする固定電話機。
【請求項２】
請求項１に記載の固定電話機において、
前記電話機能を実現する手段として、発呼部、着信検出部及び相手先の電話番号を入力する情報入力部を含み、
前記E-mail送受信機能を実現する手段として、E-mail送信部、E-mail受信部及び前記情報入力部から入力された電話番号に対応するメールアドレスの検索を前記アドレス登録部に対して行うメールアドレス検索部を含み、
前記制御部は、前記発呼部を通しての発呼と前記E-mail送信部を通してのE-mail送信を発呼及びE-mail送信として並行して行なわせることができる一方、前記着信検出部を通しての着信検出と前記E-mail受信部を通してのE-mail受信を着信及びE-mail受信として並行して行なわせることができることを特徴とする固定電話機。
【請求項３】
請求項２に記載の固定電話機において、
前記制御部は、前記発呼及びE-mail送信に際しては、前記情報入力部から入力された電話番号の相手先への発呼を前記発呼部に行なわせると共に、前記メールアドレス検索部で検索されたメールアドレスあるいは前記情報入力部から入力されたメールアドレスの相手先へのメール送信を前記E-mail送信部に行わせることを特徴とする固定電話機。
【請求項４】
請求項３に記載の固定電話機において、
前記制御部は、前記着信及びE-mail受信に際しては、前記着信検出部において着信が検出されると前記E-mail受信部においてE-mail受信があるかどうかを所定時間待機して監視し、前記E-mail受信部において前記所定時間内にE-mail受信があると前記アドレス比較部に対して前記抽出された相手先のメールアドレスが前記アドレス登録部に登録されているかの判断を行なわせることを特徴とする固定電話機。
【請求項５】
請求項４に記載の固定電話機において、
前記制御部は、前記E-mail受信部においてE-mail受信が無い場合、あるいは前記アドレス比較部において前記抽出された相手先のメールアドレスが前記アドレス登録部に登録されていないと判断された場合には、相手先不明の表示を前記表示部に行なわせることを特徴とする固定電話機。
【請求項６】
電話機能とE-mail送受信機能を具備し、相手先の名前と、その電話番号と、メールアドレスとが対応付けてあらかじめ登録されているアドレス登録部を有する固定電話機による送信側電話機から、相手先の電話番号を入力して発呼すると共に、前記相手先の電話番号に対応するメールアドレスに対して当該送信側電話機のメールアドレスを含むE-mailデータを送信し、
電話機能とE-mail送受信機能を具備し、相手先の名前と、その電話番号と、メールアドレスとが対応付けてあらかじめ登録されているアドレス登録部を有する固定電話機による受信側電話機では、電話着信があると所定時間E-mail受信を待ち、前記所定時間内にE-mail受信があると、受信したE-mailデータに含まれる前記送信側電話機のメールアドレスから相手先を割り出しその名前を表示させることを特徴とする固定電話機での相手先名の表示方法。
【発明の詳細な説明】
【技術分野】
【０００１】
本発明は家庭やオフィスで使用される電話機や電話機能付きファクシミリ装置で使用される電話機、いわゆる固定電話機に関する。
【背景技術】
【０００２】
図６を参照してナンバーディスプレイ機能を持つ固定電話機について説明する。
【０００３】
送信側電話機１００は、相手先の電話番号等を入力するための情報入力部１１１、電話発呼のための発呼部１１２のほか、アドレス登録部１１５、全体を制御するための制御部１１３を具備する。
【０００４】
アドレス登録部１１５には相手先の名前、電話番号を対応付けたリストが登録されている。制御部１１３は、発信に関わるすべての動作を制御する。
【０００５】
受信側電話機２００は、電話着信を検出する着信検出部２２２、相手先の名前、電話番号を対応させたリストを登録したアドレス登録部２２５のほか、表示部２２１、制御部２２３、スピーカ部２２６を具備する。
【０００６】
スピーカ部２２６はリンガ等の着信音を鳴動させる。制御部２２３は受信に関わるすべての動作を制御する。
【０００７】
図６では、便宜上、送信側電話機と受信側電話機とに分けて構成を図示しているが、電話機は、送信側電話機１００と受信側電話機２００双方の機能を合わせ持つものである。それゆえ、制御部１１３と２２３、アドレス登録部１１５と２２５は、通常、１つの制御部、アドレス登録部で実現される。
【０００８】
送信側電話機１００では、アドレス登録部１１５を参照するなどして、情報入力部１１１から相手先電話番号を入力する。発呼部１１２からは入力された電話番号が発信される。電話網において、ナンバーディスプレイ契約されている場合には、送信信号に送信側電話機１００の電話番号が付加され、受信側電話機２００に送られる。
【０００９】
受信側電話機２００の着信検出部２２２では、受信信号に付加されている相手電話番号（送信側電話機１００の電話番号）を確認し、表示部２２１に表示させると共に、スピーカ部２２６にて着信音を鳴動させる。また、制御部２２３はアドレス登録部２２５を参照し、相手電話番号がアドレス登録部２２５のリストに登録されている電話番号であれば、表示部２２１に相手の名前を表示させたりもする（特許文献１参照）。
【先行技術文献】
【特許文献】
【００１０】
【特許文献１】特開２００１−２６８２１０号公報
【発明の概要】
【発明が解決しようとする課題】
【００１１】
これまでの固定電話機では、電話がどこからかかってきたかわかるようにするためには、通信サービス会社との間でナンバーディスプレイ契約をする必要があり、契約していない場合には相手先の電話番号が固定電話機のアドレス登録部に登録されていても、相手先が誰かわからないという状況であった。
【００１２】
またナンバーディスプレイ契約するには別途料金を支払う必要があり、余分にコストがかかっていた。
【００１３】
本発明は、通信サービス会社との間で特別な契約をせずとも、固定電話機における着信時に、発呼してきた相手先を知ることができるようにしようとするものである。
【課題を解決するための手段】
【００１４】
本発明によれば、電話機能とE-mail送受信機能を併せ持つ固定電話機であって、相手先の名前と、その電話番号と、メールアドレスとが対応付けてあらかじめ登録されているアドレス登録部と、E-mail受信時に、受信信号に含まれる相手先のメールアドレスを抽出する制御部と、前記アドレス登録部に対し抽出された相手先のメールアドレスが登録されているか検索を行うアドレス比較部と、表示部と、を含み、前記制御部は、前記アドレス比較部において前記抽出された相手先のメールアドレスが前記アドレス登録部に登録されていると判断した場合、前記アドレス登録部から前記抽出された相手先のメールアドレスに対応する相手先の名前を読み出して前記表示部に表示させることを特徴とする固定電話機が提供される。
【００１５】
本固定電話機においては、前記電話機能を実現する手段として、発呼部、着信検出部及び相手先の電話番号を入力する情報入力部を含み、前記E-mail送受信機能を実現する手段として、E-mail送信部、E-mail受信部及び前記情報入力部から入力された電話番号に対応するメールアドレスの検索を前記アドレス登録部に対して行うメールアドレス検索部を含み、前記制御部は、前記発呼部を通しての発呼と前記E-mail送信部を通してのE-mail送信を発呼及びE-mail送信として並行して行なわせる一方、前記着信検出部を通しての着信検出と前記E-mail受信部を通してのE-mail受信を着信及びE-mail受信として並行して行なわせる。
【００１６】
本固定電話機においてはまた、前記制御部は、前記発呼及びE-mail送信に際しては、前記情報入力部から入力された電話番号の相手先への発呼を前記発呼部に行なわせると共に、前記メールアドレス検索部で検索されたメールアドレスあるいは前記情報入力部から入力されたメールアドレスの相手先へのメール送信を前記E-mail送信部に行わせる。
【００１７】
本固定電話機においては更に、前記制御部は、前記着信及びE-mail受信に際しては、前記着信検出部において着信が検出されると前記E-mail受信部においてE-mail受信があるかどうかを所定時間待機して監視し、前記E-mail受信部において前記所定時間内にE-mail受信があると前記アドレス比較部に対して前記抽出された相手先のメールアドレスが前記アドレス登録部に登録されているかの判断を行なわせる。
【００１８】
本固定電話機においては更に、前記制御部は、前記E-mail受信部においてE-mail受信が無い場合、あるいは前記アドレス比較部において前記抽出された相手先のメールアドレスが前記アドレス登録部に登録されていないと判断された場合には、相手先不明の表示を前記表示部に行なわせる。
【００１９】
本発明によればまた、電話機能とE-mail送受信機能を具備し、相手先の名前と、その電話番号と、メールアドレスとが対応付けてあらかじめ登録されているアドレス登録部を有する固定電話機による送信側電話機から、相手先の電話番号を入力して発呼すると共に、前記相手先の電話番号に対応するメールアドレスに対して当該送信側電話機のメールアドレスを含むE-mailデータを送信し、電話機能とE-mail送受信機能を具備し、相手先の名前と、その電話番号と、メールアドレスとが対応付けてあらかじめ登録されているアドレス登録部を有する固定電話機による受信側電話機では、電話着信があると所定時間E-mail受信を待ち、前記所定時間内にE-mail受信があると、受信したE-mailデータに含まれる前記送信側電話機のメールアドレスから相手先を割り出しその名前を表示させることを特徴とする固定電話機での相手先名の表示方法が提供される。
【発明の効果】
【００２０】
本発明によれば、ナンバーディスプレイ契約をしていなくても、受信側電話機において着信時に電話の送信元が誰であるかを表示することが可能となり、通信コストの低減を実現することができる。
【図面の簡単な説明】
【００２１】
【図１】本発明の実施例による固定電話機の構成を説明するための図である。
【図２】図１に示された固定電話機の動作を説明するための図である。
【図３】図１に示された固定電話機の動作の具体例を説明するための図である。
【図４】図１に示された固定電話機において、受信側電話機のアドレス登録部に送信側電話機の情報が登録されていない場合について動作を説明するための図である。
【図５】送信側電話機がメール送信機能を持たない電話機である場合について受信側電話機の動作を説明するための図である。
【図６】ナンバーディスプレイ機能を持つ固定電話機について説明するための図である。
【発明を実施するための形態】
【００２２】
［実施例の構成］
以下に、本発明の実施例について説明するが、本発明の対象となる電話機は、家庭やオフィスで使用される据置き型の電話機や電話機能付きファクシミリ装置で使用される電話機、いわゆる固定電話機と呼ばれる電話機であり、携帯型の電話機は含まないものとする。
【００２３】
図１を用いて本発明による固定電話機の実施例の構成を説明する。
【００２４】
送信側電話機１は、相手先電話番号等を入力するための情報入力部１１、電話発呼のための発呼部１２、E-mail（E−メール）を送信するためのE-mail送信部１４のほか、アドレス登録部１５、メールアドレス検索部１６、全体を制御するための制御部１３を具備する。
【００２５】
アドレス登録部１５には、あらかじめ相手先の名前（氏名や会社名等）、電話番号、メールアドレスを対応付け（紐付け）したリストが登録されている。メールアドレス検索部１６は、情報入力部１１で入力された電話番号をもとに、アドレス登録部１５に登録された相手先メールアドレスを検索する。制御部１３は、発信に関わるすべての動作を制御する。
【００２６】
受信側電話機２は、電話着信を検出する着信検出部２２、E-mailを受信するE-mail受信部２４、相手先の名前、電話番号、メールアドレスを対応付け（紐付け）したリストを登録したアドレス登録部２５、E-mail受信部２４で受信した相手先メールアドレスをもとに、アドレス登録部２５に登録されているメールアドレスを検索（比較）するアドレス比較部２６のほか、表示部２１、制御部２３、スピーカ部２７を具備する。
【００２７】
表示部２１は着信時の相手先の名前等を表示し、スピーカ部２７はリンガ等の着信音を鳴動させる。制御部２３は受信に関わるすべての動作を制御する。
【００２８】
図１では、便宜上、送信側電話機と受信側電話機とに分けて構成を図示しているが、本発明による固定電話機は、送信側電話機１と受信側電話機２双方の機能を合わせ持つものであることは言うまでも無い。それゆえ、１台の固定電話機としてみた場合、図１に示された構成要素のすべてを備えるが、制御部１３と２３、アドレス登録部１５と２５は、通常、１つの制御部、１つのアドレス登録部で実現される。また、図１は、本発明の実施例を説明するために必要な構成要素を示しているにすぎず、音声入力用のマイクロフォンや、E-mailの作成を担当する要素等、本発明に直接かかわりのない要素については図示、説明を省略する。
【００２９】
［実施例の動作］
図２を参照して実施例の動作を説明する。前述したように、送信側電話機１の発信に伴う動作は制御部１３で制御され、受信側電話機２の受信に伴う動作は制御部２３で制御される。
【００３０】
送信側電話機１から受信側電話機２に対して電話をかけ、メールを送信する際、送信側電話機１では、情報入力部１１から相手先電話番号を入力する（ステップＳ１）。この際、相手先電話番号は、アドレス登録部１５に登録されているリストから選択して入力するか、または、相手先電話番号を直接入力する。発呼部１２では、情報入力部１１から入力された情報をもとに相手先電話番号に発呼する（ステップＳ２）。発呼信号は電話網経由で受信側電話機２に送られる。
【００３１】
メールアドレス検索部１６は情報入力部１１により入力された相手先電話番号をもとにアドレス登録部１５に登録されているリストより相手先メールアドレスを検索する（ステップＳ３）。E-mail送信部１４は、メールアドレス検索部１６で検索された相手先メールアドレスに、図示しないメール作成部で作成されたメールを発信する（ステップＳ４）。発信されるメールデータには相手先メールアドレスが付加され、IP網経由で受信側電話機２に送られる。
【００３２】
以上のように、制御部１３の制御下で、発呼部１２を通しての発呼とE-mail送信部１４を通してのE-mail送信が、発呼及びE-mail送信として並行して行なわれる。
【００３３】
受信側電話機２では、着信検出部２２において電話着信を検出すると（ステップＳ５）、制御部２３は、E-mail受信部２４にメールが届くか確認するために所定時間（通常、数秒間）待機（WAIT）する（ステップＳ６）。所定時間内にE-mail受信部２４でメールを受信すると（ステップＳ７）、制御部２３はE-mail受信部２４で受信したメールのメールアドレスを抽出する。アドレス比較部２６は抽出されたメールアドレスをもとに、アドレス登録部２５に登録されている相手先の有無を検索する（ステップＳ８）。アドレス登録部２５から対応する相手先メールアドレスが検出されると、表示部２１にて相手先の名前を表示するとともに（ステップＳ９）、スピーカ部２７において着信音を鳴動させる（ステップＳ１０）。
【００３４】
以上のように、制御部２３の制御下で、着信検出部２２を通しての着信検出とE-mail受信部２４を通してのE-mail受信が、着信及びE-mail受信として並行して行なわれる。
【００３５】
ステップＳ６での待機時間は、電話網、IP網での遅延などを考慮の上、決定される。またこの待機時間は、着信から着信音の鳴動までが不自然とならない範囲で決められ、電話網、IP網はその範囲内で通信がなされるものとする。
【００３６】
次に、図３を参照して具体例を説明する。
【００３７】
送信側電話機１の使用者を「ヤマダさん」とし、電話番号を「０１２３」、メールアドレスを「yamasan@」とする一方、受信側電話機２の使用者を「スズキさん」とし、電話番号を「９８７６」、メールアドレスを「su-san@」とする。
【００３８】
送信側電話機１のアドレス登録部１５には、受信側電話機２の使用者の名前、電話番号、メールアドレス（「スズキさん」−「９８７６」−「su-san@」）が登録されている。また受信側電話機２のアドレス登録部２５には、送信側電話機１の使用者の名前、電話番号、メールアドレス（「ヤマダさん」−「０１２３」−「yamasan@」）が登録されている。
【００３９】
以上の前提のもと、送信側電話機１において情報入力部１１から相手先電話番号「９８７６」を入力するものとする（図３のＡ）。この入力においては、直接、電話番号「９８７６」を入力しても良いし、アドレス登録部１５から「スズキさん」を検索することで入力しても良い。
【００４０】
Ｂ．発呼部１２では、電話番号「９８７６」を電話網に発信する。
【００４１】
Ｃ．メールアドレス検索部１６ではＡで入力された電話番号「９８７６」とアドレス登録部１５に登録されているリストより、電話番号「９８７６」に対応する相手先のメールアドレスを検索し、スズキさんのメールアドレス「su-san@」を見つける。
【００４２】
Ｄ．E-mail送信部１４では、Ｃで見つけたメールアドレス「su-san@」に対して、メールを発信する。この際、メールには宛先の「su-san@」とともに送信側電話機１のメールアドレス「yamasan@」も送信元アドレスとして付加される。
【００４３】
受信側電話機２では、着信検出部２２において、電話網からの着信を検出する（図３のＥ）。
【００４４】
Ｆ．着信を検出した後、制御部２３はE-mail受信部２４においてメールを受信するか否かを確認するために数秒間待機（WAIT）する。
【００４５】
Ｇ．E-mail受信部２４は、数秒間の待機の間にIP網経由でメールを受信する。このメールデータには、送信側電話機１のメールアドレス「yamasan@」が含まれる。
【００４６】
Ｈ．アドレス比較部２６ではE-mail受信部２４で受信した相手先メールアドレス「yamasan@」をもとにアドレス登録部２５のリストを参照してメール送信元を検索する。その結果、「ヤマダさん」が送信元であることを見つける。
【００４７】
Ｉ．表示部２１ではアドレス比較部２６での検索結果であるメール送信元の「ヤマダさん」を表示する。
【００４８】
Ｊ．スピーカ部２７では、着信音を鳴動させる。
【００４９】
以上の結果、スズキさんは着信音鳴動により電話がかかってきたことを知り、ナンバーディスプレイの契約無しでも、表示部２１の表示より、その電話の相手がヤマダさんであることを知ることができる。
【００５０】
次に、図４を参照して、受信側電話機２のアドレス登録部２５に送信側電話機１の情報が登録されていない場合について説明する。この場合、相手先入力ＡからE-mail受信部２４によるメール受信（メールアドレス「yamasan@」）Ｇまでは図３での説明と同じであるが、メール送信元の検索Ｈにおいてアドレス登録部２５にメールアドレス「yamasan@」が登録されていないため、アドレス比較部２６ではメール送信元を見つけることができない。この場合、表示部２１では「相手先不明」などと表示し（図４のＩ’）、アドレス登録部２５に登録されていない相手からの電話であることを示す。但し、図３での説明と同様、スピーカ部２７では、着信音を鳴動させる（図４のＪ）。
【００５１】
図５を参照して、送信側電話機がメール送信機能を持たない電話機、つまり本発明による固定電話機とは異なる電話機である場合について説明する。
【００５２】
この場合、送信側電話機５０は、図１で説明した送信側電話機１におけるメールアドレス検索部１６、E-mail送信部１４を持たない。このため、送信側電話機５０の使用者Xさんは、情報入力部５１から受信側電話機２の電話番号「９８７６」を入力する（図５のＡ）と、発呼部５２から電話番号「９８７６」が電話網に発信される（図５のＢ）。しかし、送信側電話機５０はメール送信機能を持たないので、メールは送信されない。
【００５３】
受信側電話機２では、着信検出部２２において着信を検出し（図５のＥ）、制御部２３は数秒待機（WAIT）する（図５のＦ）が、待機している間にE-mail受信部２４でメールを受信することはない（図５のＧ’）。そのため、アドレス比較部２６において相手先の検索はできず（図５のＨ）、制御部２３での数秒待機後に、表示部２１において相手先が不明であることを表示する（図５のＩ’）とともに、スピーカ部２７で着信音を鳴動させる（図５のＪ）。
【００５４】
図５の動作は、公衆電話などからの呼び出しなどに相当する。
【００５５】
［実施例の効果］
以上説明した本発明の実施例によれば、ナンバーディスプレイ契約をしていなくても、アドレス登録部に名前、電話番号、メールアドレスを対応付けて登録しておくことで、受信側電話機において着信時に電話の送信元が誰であるかを表示することが可能となり、通信コストの低減を実現することができる。
【符号の説明】
【００５６】
１    送信側電話機
２    受信側電話機
１１    情報入力部
１２    発呼部
１３、２３    制御部
１４    E-mail送信部
１５、２５    アドレス登録部
１６    メールアドレス検索部
２１    表示部
２２    着信検出部
２４    E-mail受信部
２６    アドレス比較部
２７    スピーカ部
【図１】
2010239218.tif 000003
【図２】
2010239218.tif 000004
【図３】
2010239218.tif 000005
【図４】
2010239218.tif 000006
【図５】
2010239218.tif 000007
【図６】
2010239218.tif 000008